(57)【要約】【課題】快適な睡眠を得るための情報を浴室で報知することができる報知システムを提供する。【解決手段】報知システムは、生体センサ２７、表示器２５、演算部９２、及び報知制御部９３を備える。生体センサ２７は、浴室２０に設けられる。生体センサ２７は、人の深部体温に関連する特定の物理量を検出する。演算部９２は、入浴の終了を推奨する第１時刻及び就寝を推奨する第２時刻を演算する。報知制御部９３は、演算部９２によって演算された第１時刻及び第２時刻を表示器２５から報知する。【選択図】図２
2020188992.tif 000002
【特許請求の範囲】
【請求項１】
浴室に設けられ、人の深部体温に関連する特定の物理量を検出する第１検出手段と、
前記浴室に設けられた第１報知器と、
前記第１検出手段によって検出された物理量の変化率又は基準値からの変化量と前記浴室に設けられた浴槽内の水の温度及び量と前記第１検出手段によって物理量が検出されている人の入浴時間とに基づいて、入浴の終了を推奨する第１時刻及び就寝を推奨する第２時刻を演算する演算手段と、
前記演算手段によって演算された第１時刻及び第２時刻を前記第１報知器から報知する第１報知制御手段と、
を備えた報知システム。
【請求項２】
前記第１検出手段が検出する物理量は、人の皮膚温度、心拍数、又は呼吸数である請求項１に記載の報知システム。
【請求項３】
前記浴室から出た人が建物から出ることなく移動可能な第１部屋に設けられ、人の深部体温に関連する特定の物理量を検出する第２検出手段と、
前記第１部屋に配置された第２報知器と、
前記第２検出手段によって検出された物理量の変化率又は基準値からの変化量に基づいて、前記演算手段によって演算された第２時刻を補正する補正手段と、
前記補正手段によって補正された第２時刻を前記第２報知器から報知する第２報知制御手段と、
を備えた請求項１又は請求項２に記載の報知システム。
【請求項４】
前記第２報知器は、前記第２報知制御手段を有する装置と通信可能なスマートホン又は前記浴槽内の水の温度及び量を遠隔操作で調節するための操作装置に備えられた請求項３に記載の報知システム。
【請求項５】
前記浴室から出た人が建物から出ることなく移動可能な第１部屋に設けられた入力装置と、
前記第１部屋の空気調和を行う空気調和機と、
前記演算手段によって演算された第２時刻を変更するための情報が前記入力装置から入力されると、前記入力装置から入力された情報に応じて前記空気調和機を制御する空調制御手段と、
を更に備えた請求項１又は請求項２に記載の報知システム。
【請求項６】
前記第１部屋に配置され、人の睡眠状態を検出する第３検出手段と、
前記第３検出手段が検出した睡眠状態を示す情報を、前記演算手段を有する装置に送信する送信手段と、
を更に備えた請求項３から請求項５の何れか一項に記載の報知システム。
【請求項７】
前記浴室から出た人が建物から出ることなく移動可能な第２部屋に設けられ、人の睡眠状態を検出する第３検出手段と、
前記第３検出手段が検出した睡眠状態を示す情報を、前記演算手段を有する装置に送信する送信手段と、
を更に備えた請求項１から請求項５の何れか一項に記載の報知システム。
【請求項８】
第２報知器と、
現在時刻が前記演算手段によって演算された第２時刻になったことを前記第２報知器から報知する第２報知制御手段と、
を更に備え、
前記第２報知器は、前記第２報知制御手段を有する装置と通信可能なスマートホン又は前記浴槽内の水の温度及び量を遠隔操作で調節するための操作装置に備えられた請求項１又は請求項２に記載の報知システム。
【発明の詳細な説明】
【技術分野】
【０００１】
この発明は、報知システムに関する。
【背景技術】
【０００２】
特許文献１に、情報システムが記載されている。特許文献１に記載されたシステムでは、入浴時の水の温度と水の量とが設定されると、適切な入浴時間が表示される。また、特許文献１に記載されたシステムでは、入浴コースが設定されると、適切な水の温度、水の量、及び入浴時間が表示される。
【先行技術文献】
【特許文献】
【０００３】
【特許文献１】特開２００３−２２５２７６号公報
【発明の概要】
【発明が解決しようとする課題】
【０００４】
入浴が睡眠に影響を与えることは知られている。しかし、特許文献１に記載されたシステムでは、入浴時間しか表示されないため、入浴している人は、いつ就寝すれば快適な睡眠を得ることができるかを知ることができなかった。
【０００５】
この発明は、上述のような課題を解決するためになされた。この発明の目的は、快適な睡眠を得るための情報を浴室で報知することができる報知システムを提供することである。
【課題を解決するための手段】
【０００６】
この発明に係る報知システムは、浴室に設けられ、人の深部体温に関連する特定の物理量を検出する第１検出手段と、浴室に設けられた第１報知器と、第１検出手段によって検出された物理量の変化率又は基準値からの変化量と浴室に設けられた浴槽内の水の温度及び量と第１検出手段によって物理量が検出されている人の入浴時間とに基づいて、入浴の終了を推奨する第１時刻及び就寝を推奨する第２時刻を演算する演算手段と、演算手段によって演算された第１時刻及び第２時刻を第１報知器から報知する第１報知制御手段と、を備える。
【発明の効果】
【０００７】
この発明に係る報知システムは、第１検出手段によって検出された物理量の変化率又は基準値からの変化量と浴室に設けられた浴槽内の水の温度及び量と第１検出手段によって物理量が検出されている人の入浴時間とに基づいて、入浴の終了を推奨する第１時刻及び就寝を推奨する第２時刻を演算する演算手段を備える。この発明に係る報知システムであれば、快適な睡眠を得るための情報を浴室で報知することができる。
【図面の簡単な説明】
【０００８】
【図１】実施の形態１における報知システムの例を示す図である。
【図２】図１に示す報知システムの機能を説明するための図である。
【図３】実施の形態１における報知システムの動作例を示すフローチャートである。
【図４】入浴時及び入浴後の皮膚温度と深部体温との変化を示す図である。
【図５】深部体温と水温と入浴時間との関係を示す図である。
【図６】制御ユニットのハードウェア資源の例を示す図である。
【図７】制御ユニットのハードウェア資源の他の例を示す図である。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１は、実施の形態１における報知システムの例を示す図である。図２は、図１に示す報知システムの機能を説明するための図である。
【００１１】
図１は、報知システムが建物１に備えられた例を示す。図１に示す例では、報知システムのうち給湯機２と配管３の一部とが、建物１の外に配置される。報知システムの他の要素は、建物１の内部に配置される。建物１に、浴室２０、脱衣室４０、居間６０、及び寝室８０が形成される。
【００１２】
浴室２０は、人が入浴するための部屋である。浴室２０と脱衣室４０との間はドア３０で仕切られる。浴室２０に、例えば浴槽２１、操作装置２２、及び空気調和機２３が設けられる。
【００１３】
給湯機２は、例えばヒートポンプユニット或いは電気式温水器を有する。浴槽２１と給湯機２とは、配管３によって接続される。給湯機２から浴槽２１に、配管３を介して水が供給される。浴槽２１に供給される水の量は、給湯機２によって制御される。給湯機２に水量検出部４が備えられる。水量検出部４は、浴槽２１内の水の量を検出する。また、浴槽２１に供給される水の温度は、給湯機２によって制御される。給湯機２に水温検出部５が備えられる。水温検出部５は、浴槽２１内の水の温度を検出する。
【００１４】
水量検出部４の機能は、浴室２０に設けられたセンサ（図示せず）によって実現されても良い。例えば、浴室２０に設けられたセンサによって浴槽２１内の水の量が実測される。同様に、水温検出部５の機能は、浴室２０に設けられたセンサ（図示せず）によって実現されても良い。例えば、浴室２０に設けられたセンサによって浴槽２１内の水の温度が実測される。
【００１５】
追い炊き機能を実現するため、浴槽２１と給湯機２との間で水を循環させても良い。例えば、給湯機２に備えられたポンプ６によって水を循環させ、追い炊き機能を実現する。
【００１６】
操作装置２２は、例えば浴室２０の壁に設置される。操作装置２２は、有線或いは無線によって給湯機２に接続される。操作装置２２が給湯機２に無線で接続される場合、操作装置２２は、浴室２０の壁から着脱可能であっても良い。操作装置２２と給湯機２とは、双方向の通信が可能である。
【００１７】
操作装置２２は、例えば表示器２５、入力装置２６、及び生体センサ２７を備える。表示器２５は、浴室２０にいる人に情報を報知するための報知器の一例である。報知器として、操作装置２２にスピーカが備えられても良い。報知器として、操作装置２２に表示器２５及びスピーカの双方が備えられても良い。
【００１８】
入力装置２６は、浴室２０にいる人が情報を入力するための装置である。例えば、水の温度に関する情報が入力装置２６から入力される。入力装置２６から水の量に関する情報が入力される。入力装置２６から時刻に関する情報が入力される。入力装置２６から他の情報が入力されても良い。
【００１９】
給湯機２の動作は、入力装置２６から入力された情報に基づいて行われる。例えば、給湯機２は、配管３によって導かれた水を、入力装置２６から入力された温度になるように加熱する。給湯機２によって加熱された水は、配管３を介して浴槽２１に戻される。給湯機２は、即湯式の装置であっても良いし、貯湯式の装置であっても良い。給湯機２が貯湯式である場合、給湯機２では、加熱した水がタンクに溜められる。タンクに溜められた高温の水が配管３を介して浴槽２１に供給される。
【００２０】
生体センサ２７は、人に関する物理量を検出する手段の一例である。生体センサ２７は、特定の物理量を非接触で検出する。本実施の形態において、「人に関する物理量」とは、人の状態に関するパラメータを意味する。生体センサ２７は、例えば浴槽２１内にいる人の状態を判定するための物理量を検出する。生体センサ２７は、浴槽２１に入る直前の人の状態及び浴槽２１から出た直後の人の状態を判定するための物理量を検出できても良い。生体センサ２７は、物理量として、例えば人の皮膚温度、心拍数、呼吸数、及び血圧の少なくとも何れか１つを検出する。
【００２１】
一例として、生体センサ２７は、赤外線センサがアレイ状に配置されたサーモパイルを含む。サーモパイルにより、検出エリアの表面温度をマトリクス状に検出することができる。生体センサ２７がサーモパイルを含む場合は、人の位置を特定するためのパラメータを生体センサ２７によって検出することができる。生体センサ２７がサーモパイルを含む場合は、人の動きを特定するためのパラメータを生体センサ２７によって検出することができる。他の例として、生体センサ２７は、マイクロ波を利用するセンサであっても良い。かかる場合、人の心拍数及び呼吸数を特定するためのパラメータを生体センサ２７によって検出することができる。
【００２２】
空気調和機２３は、浴室２０の空気調和を行うための装置である。空気調和機２３は、例えば暖房運転、冷房運転、及び送風運転を行うことができる。暖房運転では、空気調和機２３から温風が供給される。冷房運転では、空気調和機２３から冷風が供給される。送風運転では、空気調和機２３から常温の風が供給される。空気調和機２３は、他の運転を行うことができても良い。
【００２３】
空気調和機２３は、例えば浴槽２１の上方に配置される。図１及び図２に示すように、生体センサ２７は、空気調和機２３に取り付けられても良い。生体センサ２７は、空気調和機２３に内蔵されても良い。他の例として、生体センサ２７は、操作装置２２及び空気調和機２３とは別の装置として、浴室２０に設けられても良い。かかる場合、生体センサ２７は、例えば浴室２０の壁或いは天井に取り付けられる。
【００２４】
居間６０は、例えば脱衣室４０を介して浴室２０に繋がっている。脱衣室４０と居間６０とは、ドア５０で仕切られる。居間６０は、浴室２０から出た人が建物１から外に出ることなく移動可能な部屋の一例である。図１に示す例において、脱衣室４０は廊下であっても良い。脱衣室４０は、他の部屋であっても良い。居間６０は、浴室２０がある階と異なる階にあっても良い。居間６０に、例えば操作装置６１、及び空気調和機６２が設けられる。
【００２５】
操作装置６１は、例えば居間６０の壁に設けられる。操作装置６１は、居間６０と一続きに形成されたダイニングの壁或いはキッチンの壁に設けられても良い。操作装置６１は、給湯機２を遠隔操作するための装置である。即ち、操作装置６１を使用することにより、浴槽２１内の水の量及び水の温度を遠隔操作で調節することができる。
【００２６】
操作装置６１は、有線或いは無線によって給湯機２に接続される。操作装置６１が操作装置２２の子機である場合、操作装置６１は、操作装置２２を介して給湯機２に接続されても良い。操作装置６１が給湯機２或いは操作装置２２に無線で接続される場合、操作装置６１は、居間６０の壁から着脱可能であっても良い。操作装置６１と給湯機２とは、双方向の通信が可能である。
【００２７】
操作装置６１は、操作装置２２が有する機能と同様の機能を有する。操作装置６１は、例えば表示器６５、入力装置６６、及び生体センサ６７を備える。表示器６５は、居間６０にいる人に情報を報知するための報知器の一例である。報知器として、操作装置６１にスピーカが備えられても良い。報知器として、操作装置６１に表示器６５及びスピーカの双方が備えられても良い。
【００２８】
入力装置６６は、居間６０にいる人が情報を入力するための装置である。例えば、水の温度に関する情報が入力装置６６から入力される。入力装置６６から水の量に関する情報が入力される。入力装置６６から時刻に関する情報が入力される。入力装置６６から他の情報が入力されても良い。給湯機２の動作は、入力装置６６から入力された情報にも基づいて行われる。
【００２９】
生体センサ６７は、人に関する物理量を検出する手段の一例である。生体センサ６７は、生体センサ２７が有する機能と同様の機能を有する。例えば、生体センサ６７は、特定の物理量を非接触で検出する。生体センサ６７は、例えば居間６０にいる人の状態を判定するための物理量を検出する。生体センサ６７は、物理量として、例えば人の皮膚温度、心拍数、呼吸数、及び血圧の少なくとも何れか１つを検出する。
【００３０】
一例として、生体センサ６７は、赤外線センサがアレイ状に配置されたサーモパイルを含む。他の例として、生体センサ６７は、マイクロ波を利用するセンサであっても良い。生体センサ６７は、生体センサ２７が検出する物理量と同じ物理量を検出しても良い。
【００３１】
空気調和機６２は、居間６０の空気調和を行うための装置である。空気調和機６２は、空気調和機２３と同様に、例えば暖房運転、冷房運転、及び送風運転を行うことができる。空気調和機６２は、他の運転を行うことができても良い。
【００３２】
図１及び図２に示すように、生体センサ６７は、空気調和機６２に取り付けられても良い。生体センサ６７は、空気調和機６２に内蔵されても良い。他の例として、生体センサ６７は、操作装置６１及び空気調和機６２とは別の装置として、居間６０に設けられても良い。かかる場合、生体センサ６７は、例えば居間６０の壁或いは天井に取り付けられる。
【００３３】
寝室８０は、人が寝るために使用する部屋である。居間６０と寝室８０とは、ドア７０で仕切られる。寝室８０は、浴室２０から出た人が建物１から外に出ることなく移動可能な部屋の一例である。寝室８０は、浴室２０がある階と異なる階にあっても良い。浴室２０を出た人は、居間６０を通過せずに寝室８０に入ることができても良い。寝室８０に、例えばベッド８１、報知器８２、及び空気調和機８３が設けられる。
【００３４】
報知器８２は、例えば寝室８０の壁に設けられる。報知器８２は、台の上に載せられるような可搬型の装置でも良い。報知器８２は、寝室８０にいる人に情報を報知するための装置である。報知器８２は、情報を表示する装置でも良い。報知器８２は、ブザーのような音によって情報を提供する装置でも良い。
【００３５】
空気調和機８３は、寝室８０の空気調和を行うための装置である。空気調和機８３は、空気調和機６２と同様に、例えば暖房運転、冷房運転、及び送風運転を行うことができる。空気調和機８３は、他の運転を行うことができても良い。
【００３６】
空気調和機８３は、例えば睡眠センサ８５、及び送信部８６を備える。睡眠センサ８５は、人の実際の睡眠状態を検出する手段の一例である。睡眠センサ８５は、生体センサであっても良い。例えば、睡眠センサ８５は、人の呼吸数を検出しても良い。他の例として、睡眠センサ８５は、人の動きと位置とを検出するためのセンサでも良い。睡眠センサ８５は、人がベッド８１に入ってから実際に眠るまでに掛かった時間を検出しても良い。睡眠センサ８５は、人が実際に寝た時刻を検出しても良い。
【００３７】
送信部８６は、睡眠センサ８５が検出した睡眠状態を示す情報を制御ユニット９０に送信する。以下においては、睡眠状態を示す情報のことを「睡眠情報」とも表記する。睡眠センサ８５及び送信部８６は、空気調和機８３とは別の装置として、寝室８０に設けられても良い。かかる場合、睡眠センサ８５及び送信部８６を含む装置は、例えば寝室８０の壁或いは天井に取り付けられる。睡眠センサ８５及び送信部８６を含む装置は、可搬型の装置でも良い。
【００３８】
制御ユニット９０は、例えば給湯機２、操作装置２２、空気調和機２３、操作装置６１、空気調和機６２、報知器８２、及び空気調和機８３と接続される。制御ユニット９０は、建物１内のどこに設けられても良い。制御ユニット９０は、接続された各機器と双方向の通信を行う。
【００３９】
例えば、水量検出部４によって検出された水量の情報は、制御ユニット９０に入力される。水温検出部５によって検出された水温の情報は、制御ユニット９０に入力される。生体センサ２７によって検出された物理量の情報は、制御ユニット９０に入力される。生体センサ６７によって検出された物理量の情報は、制御ユニット９０に入力される。送信部８６が送信した睡眠情報は、制御ユニット９０に入力される。
【００４０】
制御ユニット９０は、接続された各機器を制御する機能を有する。制御ユニット９０は、例えば記憶部９１、演算部９２、報知制御部９３、補正部９４、及び空調制御部９５を備える。以下に、図３から図５も参照し、本報知システムの動作について説明する。図３は、実施の形態１における報知システムの動作例を示すフローチャートである。以下においては、生体センサ２７及び生体センサ６７が人の皮膚温度を検出する例について説明する。
【００４１】
制御ユニット９０では、居間６０に設けられた生体センサ６７から皮膚温度の情報が入力されたか否かが判定される（Ｓ１０１）。例えば、居住者Ａが入浴前に居間６０にいる場合、居住者Ａの皮膚温度が生体センサ６７によって検出される。生体センサ６７が空気調和機６２に取り付けられていれば、生体センサ６７によって検出された皮膚温度の情報は、空気調和機６２を介して制御ユニット９０に入力される。
【００４２】
Ｓ１０１でＹｅｓと判定されると、制御ユニット９０では、生体センサ６７によって検出された皮膚温度を居住者Ａの平常時の皮膚温度として記憶部９１に記憶する（Ｓ１０２）。平常時の皮膚温度とは、入浴及び運動等を行っていない状態での通常生活における皮膚の温度のことである。以下においては、記憶部９１に記憶された平常時の皮膚温度のことを「基準値」とも表記する。
【００４３】
また、制御ユニット９０では、浴室２０に設けられた生体センサ２７から皮膚温度の情報が入力されたか否かが判定される（Ｓ１０３）。例えば、居住者Ａが浴室２０で浴槽２１に入ると、居住者Ａの皮膚温度が生体センサ２７によって検出される。生体センサ２７が空気調和機２３に取り付けられていれば、生体センサ２７によって検出された皮膚温度の情報は、空気調和機２３を介して制御ユニット９０に入力される。
【００４４】
Ｓ１０３でＹｅｓと判定されると、制御ユニット９０では、生体センサ２７によって検出された皮膚温度を居住者Ａの入浴時の皮膚温度として記憶部９１に記憶する。そして、Ｓ１０３でＹｅｓと判定されると、演算部９２は、入浴の終了を推奨する第１時刻と就寝を推奨する第２時刻とを演算する（Ｓ１０４）。
【００４５】
図４は、入浴時及び入浴後の皮膚温度と深部体温との変化を示す図である。睡眠の質は、深部体温に影響を受けることが知られている。このため、本実施の形態に示す例では、深部体温に関連する人の物理量を生体センサ２７によって検出する。深部体温に関連する物理量とは、深部体温が変化することによって影響を受ける物理量、或いは変化することによって深部体温に影響を与える物理量のことを意味する。皮膚温度は、深部体温に関連する物理量の一例である。心拍数、呼吸数、及び血圧は、深部体温に関連する物理量の他の例である。
【００４６】
良質な睡眠を得るためには、入浴によって皮膚温度を高めて放熱を促し、入浴後の深部体温が低下している時に就寝することが好ましい。これにより、眠りが深くなり、疲労回復できる。図４において、曲線Ｔｓは入浴時及び入浴後の人の皮膚温度の変化の例を示す。曲線Ｔｄ１は、入浴時及び入浴後の人の深部体温の変化の例を示す。
【００４７】
図４に示すように、人の皮膚温度Ｔｓは、入浴を開始する、即ち４０℃程度の水が溜められた浴槽２１に入ると上昇する。入浴時の皮膚温度Ｔｓの上昇率は、時間が経過するにつれて減少する。そして、入浴を終了する、即ち浴槽２１から出ると、皮膚温度Ｔｓは低下する。低下し始めた皮膚温度Ｔｓは、徐々にある値に近づいていく。
【００４８】
図４に示すように、人の深部体温Ｔｄ１は、入浴を開始すると上昇する。入浴時の深部体温Ｔｄ１の上昇率は、入浴開始直後は、皮膚温度Ｔｓの上昇率より小さい。また、入浴時の深部体温Ｔｄ１の上昇率の変化は、皮膚温度Ｔｓの上昇率の変化より小さい。深部体温Ｔｄ１は、入浴を終了した後も上昇を続ける。しかし、入浴を終了すると皮膚表面からの放熱が始まるため、深部体温Ｔｄ１は、ある時点から低下し始める。入浴後の深部体温Ｔｄ１の低下率は、入浴後の皮膚温度Ｔｓの低下率より大きい。低下し始めた深部体温Ｔｄ１は、徐々にある値に近づいていく。
【００４９】
上述したように、良質な睡眠を得るためには、入浴後の深部体温が低下している時に就寝することが好ましい。深部体温が曲線Ｔｄ１に示すように変化する場合は、時刻ｔ１が就寝を推奨する時刻となる。
【００５０】
深部体温Ｔｄ２及び深部体温Ｔｄ３は、それぞれ、深部体温Ｔｄ１に対する比較例を示す。曲線Ｔｄ２は、入浴による深部体温の上昇期間が長い例を示す。深部体温Ｔｄ２の最高値は、深部体温Ｔｄ１の最高値より高い。また、入浴後に深部体温Ｔｄ２が低下し始める時刻は、深部体温Ｔｄ１が低下し始める時刻よりも遅い。深部体温が曲線Ｔｄ２に示すように変化する場合は、時刻ｔ２が就寝を推奨する時刻となる。しかし、入浴によって深部体温の最高値が高くなり過ぎると、深部体温が低下するのに時間が掛かり、良質な睡眠を得るためには好ましいとは言えない。
【００５１】
曲線Ｔｄ３は、入浴による深部体温の上昇がない例を示す。入浴しない場合であっても、深部体温は、曲線Ｔｄ３に示すように、夕方にかけて上昇し、ある時点から低下し始める。図４に示すように、深部体温Ｔｄ３の上昇率は、深部体温Ｔｄ１の上昇率より小さい。このため、深部体温Ｔｄ３の低下率は、深部体温Ｔｄ１の低下率より小さい。深部体温が曲線Ｔｄ３に示すように変化する場合は、深部体温の低下が緩やかであるため、眠りが浅くなり易い。
【００５２】
Ｓ１０４では、演算部９２は、図４に示すような皮膚温度Ｔｓと深部体温Ｔｄ１との関係から、入浴の終了を推奨する第１時刻と就寝を推奨する第２時刻とを演算する。具体的に、演算部９２は、皮膚温度の基準値からの変化量と浴槽２１内の水の量及び温度と生体センサ２７によって皮膚温度が検出されている人の入浴時間とに基づいて上記演算を行う。
【００５３】
皮膚温度の基準値からの変化量は、生体センサ２７によって検出された値と記憶部９１に記憶された基準値とから求めることができる。例えば、演算部９２は、入浴が開始されると、生体センサ２７によって検出された皮膚温度の単位時間当たりの変化量、即ち変化率を演算する。演算部９２によって演算された変化率は、記憶部９１に記憶される。
【００５４】
浴槽２１内の水量を示す値として、水量検出部４によって検出された値が用いられる。浴槽２１内の水量を示す値として、操作装置２２から設定された値が用いられても良い。浴槽２１内の水量を実測するセンサが設けられている場合は、そのセンサの実測値が水量を示す値として用いられても良い。また、浴槽２１内の水温を示す値として、水温検出部５によって検出された値が用いられる。浴槽２１内の水温を示す値として、操作装置２２から設定された値が用いられても良い。浴槽２１内の水温を実測するセンサが設けられている場合は、そのセンサの実測値が水温を示す値として用いられても良い。
【００５５】
居住者Ａの入浴時間は、例えば生体センサ２７が検出するパラメータから求めることができる。他の例として、浴槽２１内の水位を検出するセンサを浴室２０に設け、そのセンサの検出値の変動から入浴時間を求めても良い。
【００５６】
演算部９２は、皮膚温度の基準値からの変化量と浴槽２１内の水の量及び温度と入浴時間とに基づいて深部体温の推定値を求め、求めた推定値から第１時刻と第２時刻とを演算しても良い。図５は、深部体温と水温と入浴時間との関係を示す図である。図５に示す深部体温は一例である。深部体温は、水量にも影響を受ける。また、深部体温には個人差もある。このため、本実施の形態に示す例では、皮膚温度の基準値からの変化量と浴槽２１内の水量もパラメータとして採用している。
【００５７】
図５に示すように、入浴時の水温が高いほど、深部体温は短時間で高くなる。入浴時間が長いほど、水温が低くても深部体温は高くなる。例えば、水温が４１℃で入浴時間が１０分であれば、深部体温は３７．４℃と推定できる。図５に示すような深部体温の推定値を求めるためのデータは、記憶部９１に予め記憶される。演算部９２は、記憶部９１に記憶されたデータを用いて、深部体温の推定値を演算する。
【００５８】
Ｓ１０４において演算部９２が第１時刻及び第２時刻を演算すると、報知制御部９３は、演算された第１時刻及び第２時刻を操作装置２２から報知する（Ｓ１０５）。本実施の形態に示す例であれば、報知制御部９３は、入浴の終了を推奨する時刻として第１時刻を表示器２５に表示する。報知制御部９３は、就寝を推奨する時刻として第２時刻を表示器２５に表示する。これにより、快適な睡眠を得るための情報を浴室２０で報知することができる。
【００５９】
その後、制御ユニット９０では、居間６０に設けられた生体センサ６７から皮膚温度の情報が入力されたか否かが判定される（Ｓ１０６）。例えば、居住者Ａが浴室２０を出て居間６０に戻ると、居住者Ａの皮膚温度が生体センサ６７によって検出される。生体センサ６７によって検出された皮膚温度の情報は、制御ユニット９０に入力される。
【００６０】
例えば、居間６０の空気調和機６２で暖房運転が行われていると、居住者Ａの皮膚温度の低下速度は遅くなる。補正部９４は、生体センサ６７によって検出された皮膚温度の基準値からの変化量に基づいて、演算部９２が演算した第２時刻を補正する（Ｓ１０７）。例えば、補正部９４は、上記変化量が予測値より大きければ、第２時刻に補正時間を加算する。
【００６１】
Ｓ１０７において補正部９４が第２時刻を補正すると、報知制御部９３は、補正された第２時刻を操作装置６１から報知する（Ｓ１０８）。本実施の形態に示す例であれば、報知制御部９３は、就寝を推奨する時刻として、補正された第２時刻を表示器６５に表示する。これにより、入浴後の状況に合わせた就寝推奨時刻を居住者Ａに知らせることができる。
【００６２】
また、制御ユニット９０では、入力装置６６から時刻情報が入力されたか否かが判定される（Ｓ１０９）。例えば、居住者Ａは、入力装置６６から時刻情報を入力することにより、演算部９２が演算した第２時刻、或いは補正部９４が補正した第２時刻を希望の時刻に変更することができる。入力装置６６から入力された時刻情報は、制御ユニット９０に入力される。
【００６３】
Ｓ１０９でＹｅｓと判定されると、空調制御部９５は、入力装置６６から入力された時刻情報に応じて空気調和機６２を制御する（Ｓ１１０）。例えば、演算部９２が演算した第２時刻より遅い時刻を示す情報が入力装置６６から入力されると、空調制御部９５は、深部体温が低下する時間帯を遅い時間帯にずらすために空気調和機６２による暖房運転を実施する。空調制御部９５は、Ｓ１１０において、空気調和機６２と空気調和機８３との双方を制御しても良い。
【００６４】
また、制御ユニット９０では、現在時刻が第２時刻になったか否かが判定される（Ｓ１１１）。Ｓ１１１でＹｅｓと判定されると、報知制御部９３は、現在時刻が第２時刻になったことを操作装置６１から報知する（Ｓ１１２）。本実施の形態に示す例であれば、報知制御部９３は、就寝を推奨する時刻になったことを表示器６５に表示する。Ｓ１１２では、報知制御部９３は、音のみによる報知を行っても良い。報知制御部９３は、Ｓ１１２において、操作装置６１と報知器８２との双方から、現在時刻が第２時刻になったことを報知しても良い。
【００６５】
また、制御ユニット９０では、睡眠情報を受信したか否かが判定される（Ｓ１１３）。例えば、居住者Ａが寝室８０で眠りに着くと、送信部８６は、睡眠センサ８５が検出した睡眠情報を制御ユニット９０に送信する。Ｓ１１３でＹｅｓと判定されると、制御ユニット９０では、送信部８６から受信した睡眠情報を記憶部９１に記憶する（Ｓ１１４）。記憶部９１に記憶された睡眠情報は、例えば、演算部９２が次回以降に第１時刻と第２時刻とを演算する際に利用される。眠っている時の居住者Ａの生理状態は、季節及び寝具等によって変わる。睡眠センサ８５が検出した実際の睡眠情報を用いることにより、第１時刻及び第２時刻を居住者Ａの実際の生理状態に合わせて補正することができる。
【００６６】
本実施の形態では、制御ユニット９０が各機器を制御する例について説明した。これは一例である。例えば、報知制御部９３が有する機能のうち表示器２５を制御する機能は、操作装置２２が備えても良い。同様に、報知制御部９３が有する機能のうち表示器６５を制御する機能は、操作装置６１が備えても良い。報知制御部９３が有する機能のうち報知器８２を制御する機能は、報知器８２が備えても良い。
【００６７】
他の例として、空調制御部９５が有する機能のうち空気調和機２３を制御する機能は、空気調和機２３が備えても良い。空調制御部９５が有する機能のうち空気調和機６２を制御する機能は、空気調和機６２が備えても良い。空調制御部９５が有する機能のうち空気調和機８３を制御する機能は、空気調和機８３が備えても良い。
【００６８】
本実施の形態では、居間６０に、固定式の表示器６５が設けられる例について説明した。これは一例である。表示器６５が有する機能は、居住者Ａが所有するスマートホンが備えても良い。かかる場合、居住者Ａのスマートホンは、制御ユニット９０と通信可能である。例えば、居住者Ａのスマートホンは、インターネットのような外部の通信網を介して制御ユニット９０と通信する。
【００６９】
同様に、本実施の形態では、寝室８０に、固定式の報知器８２が設けられる例について説明した。報知器８２が有する機能は、居住者Ａが所有するスマートホンが備えても良い。更に、居住者Ａが所有するスマートホンに、睡眠センサ８５、及び送信部８６が備えられても良い。かかる場合、睡眠センサ８５として加速度センサが採用されても良い。この例であれば、各部屋において、睡眠センサ８５及び送信部８６の機能を実現できる。
【００７０】
本実施の形態では、演算部９２が、生体センサ２７によって検出された皮膚温度の基準値からの変化量を用いて第１時刻と第２時刻とを演算する例について説明した。演算部９２は、皮膚温度の基準値からの変化量の代わりに皮膚温度の変化率を用いて第１時刻と第２時刻とを演算しても良い。同様に、本実施の形態では、補正部９４が、生体センサ６７によって検出された皮膚温度の基準値からの変化量を用いて第２時刻を補正する例について説明した。補正部９４は、皮膚温度の基準値からの変化量の代わりに皮膚温度の変化率を用いて第２時刻を補正しても良い。
【００７１】
本実施の形態において、符号９１〜９５に示す各部は、制御ユニット９０が有する機能を示す。図６は、制御ユニット９０のハードウェア資源の例を示す図である。制御ユニット９０は、ハードウェア資源として、例えばプロセッサ１０１とメモリ１０２とを含む処理回路１００を備える。記憶部９１の機能は、例えばメモリ１０２によって実現される。制御ユニット９０は、メモリ１０２に記憶されたプログラムをプロセッサ１０１によって実行することにより、符号９２〜９５に示す各部の機能を実現する。
【００７２】
なお、水量検出部４及び水温検出部５についても同様である。送信部８６についても同様である。
【００７３】
プロセッサ１０１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ或いはＤＳＰともいわれる。メモリ１０２として、半導体メモリ、磁気ディスク、フレキシブルディスク、光ディスク、コンパクトディスク、ミニディスク或いはＤＶＤを採用しても良い。採用可能な半導体メモリには、ＲＡＭ、ＲＯＭ、フラッシュメモリ、ＥＰＲＯＭ及びＥＥＰＲＯＭ等が含まれる。
【００７４】
図７は、制御ユニット９０のハードウェア資源の他の例を示す図である。図７に示す例では、制御ユニット９０は、例えばプロセッサ１０１、メモリ１０２、及び専用ハードウェア１０３を含む処理回路１００を備える。図７は、制御ユニット９０が有する機能の一部を専用ハードウェア１０３によって実現する例を示す。制御ユニット９０が有する機能の全部を専用ハードウェア１０３によって実現しても良い。専用ハードウェア１０３として、単一回路、複合回路、プログラム化したプロセッサ、並列プログラム化したプロセッサ、ＡＳＩＣ、ＦＰＧＡ、又はこれらの組み合わせを採用できる。
【符号の説明】
【００７５】
１  建物、  ２  給湯機、  ３  配管、  ４  水量検出部、  ５  水温検出部、  ６  ポンプ、  ２０  浴室、  ２１  浴槽、  ２２  操作装置、  ２３  空気調和機、  ２５  表示器、  ２６  入力装置、  ２７  生体センサ、  ３０  ドア、  ４０  脱衣室、  ５０  ドア、  ６０  居間、  ６１  操作装置、  ６２  空気調和機、  ６５  表示器、  ６６  入力装置、  ６７  生体センサ、  ７０  ドア、  ８０  寝室、  ８１  ベッド、  ８２  報知器、  ８３  空気調和機、  ８５  睡眠センサ、  ８６  送信部、  ９０  制御ユニット、  ９１  記憶部、  ９２  演算部、  ９３  報知制御部、  ９４  補正部、  ９５  空調制御部、  １００  処理回路、  １０１  プロセッサ、  １０２  メモリ、  １０３  専用ハードウェア
【図１】
2020188992.tif 000003
【図２】
2020188992.tif 000004
【図３】
2020188992.tif 000005
【図４】
2020188992.tif 000006
【図５】
2020188992.tif 000007
【図６】
2020188992.tif 000008
【図７】
2020188992.tif 000009